(57)【特許請求の範囲】
【請求項１】
回転付属品をチャックアセンブリの定位置に確実に保持するために他のチャックジョーと組み合わせて使用するように構成及び配置したチャックジョーであって、
主延長方向に沿って縦軸を限定するチャックジョー本体と、
前記チャックジョー本体内に位置し前記チャックジョー本体の前記縦軸の少なくとも一部に沿って伸び、かつ前記回転付属品を固定する金属製のチャックジョー先端部と、
前記チャックジョー本体と前記チャックジョー先端部との間に配置され、前記チャックジョー先端部と前記チャックジョー本体との間での電流の伝達を防止して電流が回転付属品とチャックアセンブリのその他の部分との間を前記チャックジョーを介して流れることを防止する絶縁材
とから成ることを特徴とするチャックジョー。
【請求項２】
前記チャックジョー本体は、円筒状であり、その長さの一部に沿って回転付属品の外周を確実に契合するために構成および配置されている切取部を備えていることを特徴とする請求項（１）記載のチャックジョー。
【請求項３】
前記切取部はＶ状断面を形成するように頂部が設けてあることを特徴とする請求項（２）記載のチャックジョー。
【請求項４】
前記チャックジョー先端部は前記Ｖ状断面の２本の脚部のほぼ交差部に位置していることを特徴とする請求項（３）記載のチャックジョー。
【請求項５】
前記絶縁材は溝型であることを特徴とする請求項（１）記載のチャックジョー。
【請求項６】
前記溝型絶縁材は前記チャックジョー先端部の少なくとも１つの縦方向の終端表面を覆うものであることを特徴とする請求項（５）記載のチャックジョー。
【請求項７】
前記チャックジョー本体は金属製であることを特徴とする請求項（５）記載のチャックジョー。
【請求項８】
前記チャックジョー先端部と前記絶縁材と前記チャックジョー本体とは互いに機械結合されていることを特徴とする請求項（５）記載のチャックジョー。
【請求項９】
前記チャックジョー先端部と前記絶縁材と前記チャックジョー本体とは互いに接着結合されていることを特徴とする請求項（５）記載のチャックジョー。
【請求項１０】
前記チャックジョー先端部は、前記絶縁材で前記チャックジョー本体を形成するように前記絶縁材内に少なくとも一部が埋め込まれていることを特徴とする請求項（１）記載のチャックジョー。
【請求項１１】
前記チャックジョー先端部と前記チャックジョー本体とが互いに機械的に結合されていることを特徴とする請求項（１０）記載のチャックジョー。
【請求項１２】
前記チャックジョー先端部と前記チャックジョー本体とが相互に接着結合してあることを特徴とする請求項（１０）記載のチャックジョー。
【請求項１３】
前記絶縁材は熱可塑性、熱硬化性、セラミックの各材料から選択する１つであることを特徴とする請求項（１）記載のチャックジョー。
【請求項１４】
回転軸に取り付けて共に回転するように構成したチャック本体と、
前記チャック本体内に位置し、回転軸と共に回転するように前記チャックアセンブリ内の定位置に回転付属品を固定するために互いに協働するように構成および配置した複数のチャックジョー
とから構成したチャックアセンブリであって、
前記チャックジョーそれぞれは、
その主伸張方向に沿って縦軸を限定するチャックジョー本体と、
前記チャックジョー本体内に位置し、前記チャックジョー本体の前記縦軸の少なくとも一部に沿って伸び、かつ前記回転付属品を固定する金属製のチャックジョー先端部と、
前記チャックジョー本体と前記チャックジョー先端部との間に配置され、前記チャックジョー先端部と前記チャックジョー本体との間での電流の伝達を防止して電流が回転付属品と前記チャック本体との間を前記チャックジョーを介して流れることを防止する絶縁材
とを備えることを特徴とするチャックアセンブリ。
【請求項１５】
前記絶縁材は溝型であることを特徴とする請求項（１４）記載のチャックアセンブリ。
【請求項１６】
前記チャックジョー先端部は、前記絶縁材で前記チャックジョー本体を形成するように前記絶縁材内に少なくとも一部が埋められていることを特徴とする請求項（１４）記載のチャックアセンブリ。
【請求項１７】
モータと、
前記モータにより駆動するように配置した回転軸と、
前記回転軸に取り付けて共に回転するように構成したチャック本体と、
前記チャック本体内に配置し、前記チャックアセンブリ内の定位置に回転付属品を確実に保持して回転軸と共に回転するように互いに協働するように構成および配置した複数のチャックジョー
とから構成した回転電動工具であって、
前記チャックジョーそれぞれは、
主伸張方向に沿って縦軸を限定するチャックジョー本体と、
前記チャックジョー本体内に位置し、前記チャックジョー本体の前記縦軸の少なくとも一部に沿って伸び、かつ前記回転付属品を固定する金属製のチャックジョー先端部と、
前記チャックジョー本体と前記チャックジョー先端部との間に配置され、前記チャックジョー先端部と前記チャックジョー本体との間での電流の伝達を防止して電流が回転付属品と前記チャック本体との間を前記チャックジョーを介して流れることを防止する絶縁材
とから構成することを特徴とする回転電動工具。
【請求項１８】
前記絶縁材は溝型であることを特徴とする請求項（１７）記載の回転電動工具。
【請求項１９】
前記チャックジョー先端部は、前記絶縁材で前記チャックジョー本体を形成するように前記絶縁材内に少なくとも一部が埋め込まれていることを特徴とする請求項（１７）記載の回転電動工具。
【発明の詳細な説明】
【０００１】
【発明の属する技術分野】
この発明は、一般に、回転付属品を確実に保持するために、ドリルなどの回転電動工具に使用するチャックジョーに関する。特に、本発明は、回転付属品（ドリルビットなど）をチャックアセンブリから絶縁する絶縁チャックジョーに関するものであり、このように電流が回転付属品からユーザに伝わること防止している。
【０００２】
【従来の技術】
電気ドリルなどの回転電動工具は、回転付属品が電源と接触するような状況で使用することが多い。例えば、パワードリルのビットは壁の中に配置したワイヤを切断したり、ドリルがそれ自体のコードさえも切ってしまうことがある。そこで、ツールオペレータの安全のために、電流がオペレータに及ぶことを防止することが重要である。
【０００３】
電流がオペレータに及ぶことを防止する周知の方法の１つでは、絶縁グリップ部を備えた絶縁ハウジングを使用している。他の方法は、アンソニー・ジャシノ（Ａｎｔｈｏｎｙ  Ｊａｃｙｎｏ）の米国特許第３，６８５，８４３号に記載されているもので、ドリルチャックと回転軸との間に電流が流れることを防止するために、金属ドリルチャック内に配置する絶縁部材を使用している。同様のタイプの絶縁スリーブがドナルド・Ｊ．マッカーシ（Ｄｏｎａｌｄ  Ｊ．ＭｃＣａｒｔｈｙ）の米国特許第３，７９７，９６０号にも記載されている。
【０００４】
【発明が解決しようとする課題】
これらの周知の絶縁方法の問題の１つは、回転付属品が電線に接触している時に、オペレータの手あるいは他の身体の一部がチャックアセンブリに接触すると、感電する危険が依然としてある点である。こうした従来技術の絶縁方法は装置のドリルビットとハンドルとの間を絶縁しているが、ドリルビットとチャックアセンブリ（所定位置にビットを保持する）との絶縁をしていないのが普通である。したがって、例えばオペレータの手が一般に金属製のチャックアセンブリに接触すると、電流がドリルビットからチャックアセンブリへ、そしてオペレータへと自由に流れることになる。
【０００５】
そこで、本発明の目的は、電流が回転付属品からオペレータへ移動するのを防止するために、絶縁構成部品を内部に備えた改良回転電動工具を提供することである。
【０００６】
本発明の別の目的は、電流が回転付属品からチャックアセンブリの外表面へ移動するのを防止するように絶縁した改良チャックアセンブリを提供することである。
【０００７】
さらに、本発明の目的は、安価で既存のチャックアセンブリ構成で利用することができる改良絶縁チャックアセンブリを提供することである。
【０００８】
さらに、本発明の別の目的は、優れた電気絶縁をチャックジョーアセンブリ内に提供するために、その中に他の類似チャックジョーと組み合わせて使用できる絶縁チャックジョーを提供することである。
【０００９】
本発明の上記およびその他の目的は、添付図面を参照した本発明の以下の詳細な説明から明らかになるであろう。
【００１０】
【課題を解決するための手段】
上記目的は、オペレータがチャックアセンブリの外表面に接触しても、回転付属品とオペレータとの間に電流が流れることを防止する改良チャックジョーを回転電動工具のチャックアセンブリ内に備える本発明によって満たされるかまたは超えられるものである。本発明の主な特徴の１つは、他の同様の絶縁チャックジョーと組み合わせて使用する絶縁チャックジョーである。一般に、本発明は、金属製であることが好ましくまたドリルビットなどの回転付属品と確実に接続するように構成されているチャックジョー先端部を有する絶縁チャックジョーで構成する。チャックジョー先端部は、電流がチャックジョー先端部からチャックアセンブリの他の部分へ流れないように絶縁材により少なくとも部分的に囲まれている。
【００１１】
すなわち、本発明は、回転付属品をチャックアセンブリの定位置に確実に保持するために他のチャックジョーと組み合わせて使用するように構成及び配置したチャックジョーであって、主延長方向に沿って縦軸を限定するチャックジョー本体と、該チャックジョー本体内に位置しチャックジョー本体の前記縦軸の少なくとも一部に沿って伸び、かつ回転付属品を固定する金属製のチャックジョー先端部と、チャックジョー本体とチャックジョー先端部との間に配置され、チャックジョー先端部とチャックジョー本体との間での電流の伝達を防止して電流が回転付属品とチャックアセンブリのその他の部分との間をチャックジョーを介して流れることを防止する絶縁材とを具えている。
【００１２】
第１の好ましい実施態様では、絶縁材はチャックジョー先端部とチャックジョー本体との間に位置する概して溝型をした構成部品から成る。第２の好ましい実施態様では、絶縁材でチャックジョー本体の大部分を形成し、チャックジョー先端部は少なくとも部分的にチャックジョー本体に埋め込まれている。
【００１３】
【発明の実施の形態】
図面を参照すると、本発明の第１実施態様が図１〜６に示してあり、図１はパワードリル１０を示している。パワードリル１０は本絶縁チャックジョーを使えるタイプの回転電動工具に関する１例である。要するに、パワードリル１０はプラスチック製であるのが好ましいハウジング１２を備え、ハンドル部１４とオンオフトリガ１６を備えている。ハウジング１２内にはモータ（図示せず）があり、回転軸１８に接続されている。回転軸１８はさらに回転可能にチャックアセンブリ２０に接続し、チャックアセンブリ２０はさらにドリルビット２４に回転可能に接続する。ドリルビット２４は、複数のチャックジョー２２を介してチャックアセンブリ２０と共に回転するようにチャックアセンブリ２０内の定位置に固定する。
【００１４】
ドリル１０を操作するには、ユーザはハンドル１４を握りオンオフトリガ１６を押すことでハウジング１２内に配置したモータの回転を開始する。モーターは、互いに回転可能に接続した回転軸１８と、チャックアセンブリ２２と、ドリルビット２４とを回転させる。
【００１５】
次に、図２には、チャックアセンブリ２０の部分切取図が示してある。回転軸１８は、雌ネジ本体パーツ２６に固定して共に回転できるように雄ネジが切ってある。雌ネジ本体パーツ２６はその内部に、ドリルビット２４を受けるための中央穴２７を有する。雌ネジ本体パーツ２６は、中央穴２７方向に傾斜した複数の等間隔穴２８も備えている。本体パーツ２６は３つの穴２８を備えるのが好ましい。各穴２８内には１つのチャックジョー２２が取り付けてある。雌ネジナット３０はチャックジョー２２を囲むように構成されている。各チャックジョー２２は、その外周部の少なくとも一部分に沿って広がるネジ部３２を備えている。このナット３０は、チャックジョー２２の周囲でのアセンブリを容易にするために半分に形成するのが好ましく、スリーブ３４を使用して所定位置にナットの半分２つを保持するのが好ましい。
【００１６】
スリーブ３４とナット３０は、締りばめまたはナット３０をスリーブ３４に合わせるなどして共に回転するように構成されている。ナット３０のネジは、チャックジョー２２のネジ３２と噛み合うように構成されている。先細りしたスリーブ状のチャック本体３６をナット３０に隣接して配置してチャックジョー２２を囲んでいる。
【００１７】
当業者には周知のように、チャック本体３６内に凹んだキー穴３８内に挿入可能なラチェットキー（図示せず）を使用することで、チャックジョー２２を伸張させたり（ドリルビット２４をつかむため）後退させたりする（ドリルビットを外すため）。特に、キーに設けた歯がスリーブ３４上のキーラチェット４０と接触するように、キーはキーポート３８内で回転する。キーが回転するとスリーブ３４が回転し、それによりナット３０が回転し、ナット３０とチャックジョーのネジ３２との螺合によりチャックジョー２２を伸張または後退させることになる。
【００１８】
本発明の１つの重要な態様はチャックジョー２２の構成である。図３〜６を参照して、チャックジョー２２の第１実施態様の構成を以下に説明する。図３に示すように、この実施態様のチャックジョー２２はチャック本体４２とチャックジョー先端部４４とを備えている。チャックジョー本体４２は、図３、４、６に見られるように概してＶ字形の断面になるように頂部のある切取部４８を備えている。
【００１９】
この実施態様は、プラスチックなどの絶縁材から成る一般溝型部材４６も備えるのが好ましい。チャック本体４２とチャックジョー先端部４４とは、チャックジョー２２に十分な強度を持たせるために金属製であるのが好ましい。好ましい実施態様では、チャックジョー先端部４２および溝型部材４６はチャック本体４２の全長に及んでいる。しかし、チャックジョー先端部４２と溝型部材とは、切取部４８をちょうど通過した位置でチャック本体４２内で終端させても良い。明らかになる理由により、チャックジョー先端部４４は、チャックジョー本体４２から完全に電気絶縁する必要がある。したがって、チャックジョー先端部４２がチャック本体４２の全長に及ばない場合は、絶縁溝型部材４６は、先端部４２の端部が本体４２に接触するのを防止する端部キャップを備える必要がある。同様に、チャックジョー先端部４４がチャック本体４２の全長に及ぶ場合は、切取部４８を通過した区域の先端部４４の頂部は、先端部４４と本体４２との接触を防止するために溝型部材４６内に完全に封じる必要がある。
【００２０】
チャックジョー先端部４４は、溝型部材４６に接着剤で結合するのが好ましく、溝型部材４６はチャック本体４２に接着剤で結合するのが好ましい。溝型部材４６とチャック本体４２およびチャックジョー先端部４４両方とをより確実に結合するために、これらの構成部品間を機械的に結合してもよい。この機械的結合は、好みにより、接着剤に加えてあるいは接着剤の代わりに使用できる。すなわち、図６に示すように、機械的結合は、一般に蟻継ぎ形状インターフェースを形成することによって溝型部材４６とチャック本体４２との間に構成する。この蟻継ぎ形状インターフェースは、溝型部材４６の外周５２に対応するチャック本体４２内に凹んだ座面５０を備えている。チャック先端部４４を固定する機械的結合は、チャック先端部４４の外周５６に対応する溝型部材４６内に凹んだ座面５６との同様の蟻継ぎ形状インターフェースで形成するのが好ましい。機械的結合としての使用に適した対応形状の１例を示して記述したが、多重蟻継ぎ形状インターフェースや別の形状の補足歯のインターフェースを備えた他の形状の機械的結合も利用できる。
【００２１】
本発明の重要な特徴は、ドリルビット２４からドリル１０のその他の部分へ電流が移動することをチャックジョー２２で防止する方法である。図１と２に示すように、ドリルビット２４をチャックジョー２２によって所定の位置に固定すると、各ジョー２２の金属チャックジョー先端部４４がドリルビット２４に結合する。このように、ドリルビット２４（普通は金属である）を移動する電流はチャックジョー先端部４４に到達する。しかし、各ジョー先端部４４は溝型部材４６によりその関連チャック本体４２から完全に絶縁されているので、電流がチャック本体４４を流れることはない。したがって、電流がドリル１０の他の部分へ流れることがない。そこで、ドリルビット２４に電流が流れているときにオペレータがチャックアセンブリ２０の金属スリーブ３４や金属チャック本体３６に接触しても、オペレータがその電流を受けることはない。
【００２２】
次に、図７〜１０を参照して、本絶縁チャックジョーの第２の好ましい実施態様について説明する。便宜上、この実施態様の対応する特徴は、第１実施態様の特徴と同じ指示番号を付け、第２実施態様の各指示番号にはプライム記号を追加してある。
【００２３】
この実施態様では、溝型絶縁部材（第１実施態様の部材４６）は設けられていない。代わりに、全チャック本体４２’が絶縁材料で形成されている。そこで、金属製であるのが好ましいチャック先端部４４’がチャック本体４２’内に直接据えられている。チャック本体４２’を絶縁材で形成して電流がチャックジョー先端部４２’を通ってドリル１０の他の部分へ流れることを防止している。
【００２４】
第１実施態様と同様に、第２実施態様の構成部品は、接着剤または機械的結合またはその両方により固定するのが好ましい。すなわち、機械的結合には、チャック本体４２’の座面５４’とチャックジョー先端部４４’の外周５６’との一般に蟻継ぎ形状インターフェースを含めても良い。当然、機械的結合の表面を他の形状にすることも考えられる。
【００２５】
この実施態様では、金属製であるのが好ましいチャックジョー先端部４４’は、プラスチック製であるのが好ましい本体４２’の強度を増すためにチャック本体４２’の全長に及ぶのが好ましい。しかし、強度の十分な材料でチャック本体４２を作ることができれば、必要な絶縁品質維持して、チャック先端部４４’をチャック本体４２’の全長に及ばせる必要がなく、例えば、切取部４８’の端部近辺のポイントで終端しても良い。
【００２６】
作動中、チャックジョー４２’の第２実施態様は、第１実施態様と同じ有益な絶縁特性を提供するものである。このように、絶縁チャック本体４２’は、電流がチャック先端部４４’からドリル１０（または他の回転電動工具）の他の部分へ流れるのを防止している。
【００２７】
本発明の多様な実施態様を示して説明したが、その他の変更や置換や代替などは普通の当業者には明白なことである。こうした変更や置換や代替は、添付の請求項から判断される発明の精神や範囲に反することなく行うことができる。
【００２８】
本発明の多様な特徴は添付請求項に説明してある。
【図面の簡単な説明】
【図１】図１は、本絶縁チャックジョー数個を含む回転電動工具の側面図である。
【図２】図２は、本絶縁チャックジョー数個を含むチャックジョーアセンブリの部分断面図である。
【図３】図３は、本絶縁チャックジョーの第１実施態様の斜視図である。
【図４】図４は、本絶縁チャックジョーの第１実施態様の縦方向端部の正面図である。
【図５】図５は、本絶縁チャックジョーの第１実施態様の側面図である。
【図６】図６は、図５のＶＩ−ＶＩに沿って取った断面図である。
【図７】図７は、本絶縁チャックジョーの第２実施態様の斜視図である。
【図８】図８は、本絶縁チャックジョーの第２実施態様の縦方向端部の正面図である。
【図９】図９は、本絶縁チャックジョーの第２実施態様の側面図である。
【図１０】図１０は、図９のＸ−Ｘに沿って取った断面図である。
【符号の説明】
１０…回転電動工具（パワードリル）
１８…回転軸
２０…チャックアセンブリ
２２…チャックジョー
２４…回転付属品（ドリルビット）
４２、４２´…チャックジョー本体（チャック本体）
４２´…絶縁材
４４、４４´…チャックジョー先端部（チャック先端部）
４６…絶縁材（一般的溝型絶縁材）
４８、４８´…切取部
【図１】
0003660869.tif 000002
【図２】
0003660869.tif 000003
【図３】
0003660869.tif 000004
【図４】
0003660869.tif 000005
【図５】
0003660869.tif 000006
【図６】
0003660869.tif 000007
【図７】
0003660869.tif 000008
【図８】
0003660869.tif 000009
【図９】
0003660869.tif 000010
【図１０】
0003660869.tif 000011